(57)【特許請求の範囲】
【請求項１】
半導体メモリを有し機器との電気的接続を行う端子を一体的に設けた半導体メモリカードを収納可能なケースであって、
前記半導体メモリカード収納部を有すると共に側面にガイドを形成したケース本体と、前記ケース本体に形成したガイドに係合されてスライド可能でかつ前記メモリカード収納部を覆うように嵌合されるケース蓋体とを備え、
前記ケース本体は、前記ケース蓋体による閉蓋状態で当該ケース蓋体により覆われない基端部と、開蓋状態でも覆われる保持端部を設け、この基端部と保持端部との間に前記半導体メモリカード収納部を配置した構成とし、
前記半導体メモリカード収納部は、ケース本体側面方向の一方が開放され、３方に前記保持端部と前記基端部とケース本体側面方向の他方の側縁部とにより形成される側壁を有し、この側壁には当該収納部に収納される半導体メモリカードと密着する突出縁部を形成し、
前記ケース蓋体は、少なくとも上面とスライド方向の両側面及び後側面を有して前面を開放した構成とし、
前記ケース本体とケース蓋体のガイドを形成したスライド部には、ケース蓋体の開蓋方向のスライドを規制するストッパを構成して、
通常使用状態における開蓋状態でケース蓋体の保持を行うと共に、その開蓋状態で半導体メモリカードを前記半導体メモリカード収納部の突出縁部により密着状態で保持するように構成したことを特徴とする半導体メモリカード収納ケース。
【請求項２】
前記ケース蓋体は、少なくとも上面を透明部として、その内面側に半導体メモリカードの情報を表示するラベルを収納するように構成したことを特徴とする請求項１記載の半導体メモリカード収納ケース。
【請求項３】
前記ケース蓋体は、前記両側面の内面にガイドを形成し、このガイドに前記ケース蓋体の開放端からラベルを挿入するように構成したことを特徴とする請求項２記載の半導体メモリカード収納ケース。
【請求項４】
前記ガイドは、前記両側面の内面上部に形成した溝により構成したことを特徴とする請求項３記載の半導体メモリカード収納ケース。
【請求項５】
前記ガイドは、前記両側面の内面に形成した突出部と、前記上面の内壁面との間に形成した隙間により構成したことを特徴とする請求項３又は４記載の半導体メモリカード収納ケース。
【請求項６】
前記ケース蓋体は、開放端の端縁に、収納されたラベルのスライド平面に突出するリブを設け、ラベルの収納状態で開放端側へのスライドを阻止するように構成したことを特徴とする請求項３〜５記載の半導体メモリカード収納ケース。
【請求項７】
前記ケース本体の基端部には、ケース本体の厚み方向に貫通する貫通孔を設け、この孔を、当該ケースを保持するための係合保持部として構成したことを特徴とする請求項１記載の半導体メモリカード収納ケース。
【請求項８】
前記ケース本体の端部に設けた貫通孔は、２個所に設け、その孔中心間の寸法をシステム手帳のバインダの中心間寸法に一致させ、当該ケースをシステム手帳に保持可能に構成したことを特徴とする請求項７記載の半導体メモリカード収納ケース。
【請求項９】
前記ケース本体とケース蓋体のガイドを形成したスライド部には、開蓋位置と閉蓋位置においてケース蓋体のケース本体に対するスライド方向の位置を保持する位置保持部を設けたことを特徴とする請求項１記載の半導体メモリカード収納ケース。
【請求項１０】
前記ケース本体は、前記保持端部位置の裏面に、裏表面より凹んだ係合部を設け、前記ケース蓋体をケース本体に対してスライドさせる際に指を係合させることができるように構成したことを特徴とする請求項１記載の半導体メモリカード収納ケース。
【発明の詳細な説明】
【０００１】
【発明の属する技術分野】
本発明は、半導体メモリを有し当該半導体メモリと機器との電気的接続を行う端子を一体的に設けた半導体メモリカードを収納可能な半導体メモリカード収納ケースに関するものである。
【０００２】
【従来の技術】
従来、半導体メモリカード収納ケースとしては、実開平６−４８０４９号や実開平７−４０５７３号等の出願により開示されているように半導体メモリカードを１個ずつ収納し回動により開閉可能な蓋を有するもの、あるいはカードを側方から収納可能に構成された特開平１−１９２５９２号公報に開示されたようなものが種々提案されている。
【０００３】
このような従来の半導体メモリカード収納ケースにおいては、メモリーカード自体が比較的破損や静電気に弱い構成のものが多く、それらの対策等から、収納時にカード全体を完全に覆ってしまう構成として、その保護を行うようにしているものであった。
【０００４】
【発明が解決しようとする課題】
近年、この種カードは、より小型化が進み、平面形状が切手サイズの半導体メモリカードが提供され、その使用商品の普及が著しく、多くの半導体メモリカードを必要とする現状にあって、その携帯や保管及びその収納をより簡単に行うことができる半導体メモリカード収納ケースが望まれている。
【０００５】
本発明は、携帯や保管及びその収納に便利な半導体メモリカード収納ケースを提供することを目的としてなされたものである。
【０００６】
【課題を解決するための手段】
この課題を解決するために本発明の半導体メモリカード収納ケースは、半導体メモリを有し機器との電気的接続を行う端子を一体的に設けた半導体メモリカードを収納可能なケースであって、前記半導体メモリカード収納部を有すると共に側面にガイドを形成したケース本体と、前記ケース本体に形成したガイドに係合されてスライド可能でかつ前記メモリカード収納部を覆うように嵌合されるケース蓋体とを備え、前記ケース本体は、前記ケース蓋体による閉蓋状態で当該ケース蓋体により覆われない基端部と、開蓋状態でも覆われる保持端部を設け、この基端部と保持端部との間に前記半導体メモリカード収納部を配置した構成とし、前記半導体メモリカード収納部は、ケース本体側面方向の一方が開放され、３方に前記保持端部と前記基端部とケース本体側面方向の他方の側縁部とにより形成される側壁を有し、この側壁には当該収納部に収納される半導体メモリカードと密着する突出縁部を形成し、前記ケース蓋体は、少なくとも上面とスライド方向の両側面及び後側面を有して前面を開放した構成とし、前記ケース本体とケース蓋体のガイドを形成したスライド部には、ケース蓋体の開蓋方向のスライドを規制するストッパを構成して、通常使用状態における開蓋状態でケース蓋体の保持を行うと共に、その開蓋状態で半導体メモリカードを前記半導体メモリカード収納部の突出縁部により密着状態で保持するように構成したものである。
【０００７】
これにより、ケース蓋体をケース本体に対してスライドさせるだけで開閉することができ、閉蓋状態では確実に収納することができると共に、開蓋状態ではケース蓋体の脱落等を気にすることなく、しかも収納部への半導体メモリカードの収納時には開放されているにもかかわらず密着状態で保持し、ケース本体側面方向の一方が開放されているのでその半導体メモリカードの着脱を容易に行うことができ、また、前記ケース本体の基端部を設けているので、当該ケースの保持を容易に行うことができることとなる。
【０００８】
また、請求項２に記載の発明は、前記ケース蓋体は、少なくとも上面を透明部として、その内面側に半導体メモリカードの情報を表示するラベルを収納するように構成したので、小型のケースでありながら小さなラベルをケース蓋体内部に収納して透視でき、当該ケース蓋体の平面部を最大限まで活用することができるという作用を有する。
【０００９】
また、請求項３に記載の発明は、前記ケース蓋体は、前記両側面の内面にガイドを形成し、このガイドに前記ケース蓋体の開放端からラベルを挿入するように構成したので、ラベルを容易に挿入できるという作用を有する。
【００１０】
また、請求項４に記載の発明は、前記ガイドは、前記両側面の内面上部に形成した溝により構成したので、ケースの厚みを最小限に押さえながらラベルを確実に収納できるという作用を有する。
【００１１】
また、請求項５に記載の発明は、前記ガイドは、前記両側面の内面に形成した突出部と、前記上面の内壁面との間に形成した隙間により構成したので、溝と共に、より確実に収納できるという作用を有する。
【００１２】
また、請求項６に記載の発明は、前記ケース蓋体は、開放端の端縁に、収納されたラベルのスライド平面に突出するリブを設け、ラベルの収納状態で開放端側へのスライドを阻止するように構成したので、一旦収納したラベルが抜け出るのを防止できるという作用を有する。
【００１３】
また、請求項７に記載の発明は、前記ケース本体の基端部には、ケース本体の厚み方向に貫通する貫通孔を設け、この孔を、当該ケースを保持するための係合保持部として構成したので、当該ケースの保持を容易に行うことができるという作用を有する。
【００１４】
また、請求項８に記載の発明は、前記ケース本体の端部に設けた貫通孔は、２個所に設け、その孔中心間の寸法をシステム手帳のバインダの中心間寸法に一致させ、当該ケースをシステム手帳に保持可能に構成したので、当該ケースをシステム手帳に直接保持して携帯できるという作用を有する。
【００１５】
また、請求項９に記載の発明は、前記ケース本体とケース蓋体のガイドを形成したスライド部には、開蓋位置と閉蓋位置においてケース蓋体のケース本体に対するスライド方向の位置を保持する位置保持部を設けたので、開蓋及び閉蓋時におけるケース蓋体の位置決めを確実に行うことができるという作用を有する。
【００１６】
また、請求項１０に記載の発明は、前記ケース本体は、前記保持端部位置の裏面に、裏表面より凹んだ係合部を設け、前記ケース蓋体をケース本体に対してスライドさせる際に指を係合させることができるように構成したので、係合部に指の一つを係合させてスライドすることができ、片手で容易に開閉できるという作用を有する。
【００１７】
【発明の実施の形態】
以下本発明の実施の形態について、図１〜図８を用いて説明する。
【００１８】
図１は本発明の実施の形態における半導体メモリカード収納ケースの開蓋状態の斜視図、図２は同閉蓋状態の斜視図、図３（ａ）は同ケース本体とケース蓋体を分離した状態の斜視図、（ｂ）はケース蓋体の内側を示す斜視図、図４（ａ）（ｂ）（ｃ）はラベル及び当該ラベルのケース蓋体への収納過程を示す斜視図、図５は開蓋状態の底面図、図６（ａ）は図２のＡ−Ａ断面図、（ｂ）図２のＢ−Ｂ断面図、（ｃ）は図５のＣ−Ｃ断面図、（ｄ）は（ａ）図における部分拡大図、図７（ａ）（ｂ）は開閉状態を説明するための下方向斜視図、図８（ａ）（ｂ）は当該収納ケースの使用状態説明図である。
【００１９】
図において、１はケース本体、２はそのケース本体１に対してスライド可能に構成されたケース蓋体、３は半導体メモリカードである。半導体メモリカード３は、ケース本体１の半導体メモリカード収納部４に収納されて、ケース蓋体２により閉蓋状態（図２）に示すように覆うことができ、開蓋状態（図１）で収納部４に収納し、取り出すことができるようになっている。ここで、半導体メモリカード３は、例えば、半導体メモリを有し機器との電気的接続を行う端子を一体的に設け、外形形状はほぼ切手サイズの小型のものであり、その詳細についての説明は省略する。
【００２０】
ケース本体１は、その中央部に半導体メモリカード収納部４を有すると共に、両側面にガイドリブ５を形成し、ケース蓋体２による閉蓋状態で当該ケース蓋体２により覆われない基端部６と、開蓋状態でも覆われると共に両ケースの連結状態を保持する保持端部７とを設け、この基端部６と保持端部７との間に前記カード収納部４を配置した構成としている。また、ケース本体１の基端部６には、ケース本体１の厚み方向に貫通する貫通孔８を設け、ケース１を携帯時に保持するための係合保持部として使用可能としており、ここでは２個所設け、その孔８中心間の寸法をシステム手帳のバインダの中心間寸法に一致さ、かつ孔８の径はバインダを挿入可能な大きさに構成している。また、ケース蓋体２は、その内面側に半導体メモリカード３の情報を表示するラベル９を収納するように構成している。
【００２１】
ケース本体１には、図３に示すように、両側面のガイドリブ５の下側部において、嵌合されたケース蓋体２の開蓋方向のスライドを規制するストッパ用の突起５ａと、開蓋状態のケース蓋体２のケース本体１に対するスライド方向の位置保持を行う突起５ｂと、閉蓋状態のケース蓋体２のケース本体１に対するスライド方向の位置保持を行う突起５ｃとを設けている。また、このケース本体１の半導体メモリカード収納部４は、一方が開放されて３方向に側壁４ａ，４ｂ，４ｃを有する形状とし、その左右側壁の片方の側壁４ｃの奥部に突出縁部４ｄを形成し、この突出縁部４ｄと他方の側壁４ａとの間の寸法を、半導体メモリカード３の幅の寸法に対して同等かそれより若干短い寸法に設定することにより、図１に示すように半導体メモリカード３を半導体メモリカード収納部４に収納した際に、当該半導体メモリカード収納部４に半導体メモリカード３を、密着状態で保持することができる。その際、ケース本体１及び半導体メモリカード３を合成樹脂で構成しておくことにより、その弾性変形で対応することができることとなる。
【００２２】
ケース蓋体２は、図３（ａ）（ｂ）に示すように、上面２１とスライド方向の両側面２２，２３及び後側面２４を有して前面２ａを開放した構成とし、全体を透明な合成樹脂で構成している。両側面２２，２３の内面には、ケース本体１に形成したガイドリブ５に係合されてスライドするためのスライド用溝２５と、挿入されるラベル９のガイド用溝２６を形成しており、その両溝２５，２６はケース蓋体２の前面２ａが開放され、その前面２ａ側より挿入される構造となっている。また、両側面２２，２３の内面には、溝２５の前面２ａ側の近傍にケース蓋体２の開蓋方向のスライドを規制するストッパ用の突起２５ａを設けている。また、溝２６の縁部に突出部２６ａを形成して、この突出部２６ａとケース蓋体２の上面２１の内壁面との間に形成した隙間により、溝２６により形成したラベル９のガイドとしての嵌合深さを補強して、ラベル９が溝２６から抜けないようにしている。
【００２３】
また、ケース蓋体２は、上面２１の開放端の端縁に内面側に突出するリブ２７を設けており、収納されたラベル９のスライド平面に突出して、ラベル９の挿入後の収納状態で開放端側へのスライドを阻止するようにしている。
【００２４】
ラベル９は、図３（ｂ）における下面側、すなわちケース蓋体２の内面に接する側に半導体メモリカード３の情報を表示する内容が印刷及び／又は記入されており、挿入される前のラベル９の平面形状は図４（ａ）に示すように形成されている。すなわち、ラベル９は、表示内容が印刷及び／又は記入される主面９ａと折り曲げ片部９ｂとを有し、折り曲げ線９ｃにより折り曲げられるように形成され、折り曲げ片部９ｂの両側には切欠部９ｄを有し、当該折り曲げ片部９ｂの幅を主面９ａより狭く形成している。ここで、図４に基づき、ラベル９のケース蓋体２への収納手順について説明する。図４（ａ）に示すように形成されたラベル９を、まず表示面に記入する事項があれば予め記入した後、（ｂ）図に示すように、その表示面を下側にすると共に折り曲げ片部９ｂ側を前方とし、ケース蓋体２の前面２ａ開放端に向ける。その際、折り曲げ線９ｃに添って折り曲げ片部９ｂを、矢印イ方向に若干折り曲げておく。そして、ラベル９の前部の中央部をリブ２７を乗り上げる程度に若干持ち上げ、（ｃ）図に示すように、切欠部９ｄを溝２６の開放端に挿入する。この状態で更にスライドして挿入することにより、ラベル９の主面９ａの両側縁部が両側面２２，２３に形成した溝２６に嵌合されることとなる。最終的には、前述した図３（ｂ）に示すように収納され、折り曲げ片部９ｂが後側面２４の内壁面でほぼ直角状態に折り曲げられ、開放端がリブ２７に係合されてラベル９の抜け方向へのスライドの阻止が可能となる。
【００２５】
次に、ケース本体１に対するケース蓋体２の開閉時の作用について説明する。まず、図２に示す閉蓋状態から、ケース本体１の基端部６と、ケース蓋体２の両側面２２，２３を、それぞれ摘んでスライドさせることにより、図１に示す開蓋状態とすることができる。その開蓋状態の底面図を示すのが図５であり、このとき、ケース蓋体２はケース本体１に対して、ケース蓋体２の突起２５ａがケース本体１のストッパ用突起５ａと位置保持用突起５ｂとの間にあり、ストッパ用突起５ａにより通常使用状態における開方向へのスライドの阻止を行うことができると共に、位置保持用突起５ｂにより閉方向へのスライドを阻止して位置決め保持を行うことができることとなる。また、この図５に示す状態から、ケース蓋体２を閉方向に一定以上の付勢力でスライドさせることにより、当該ケース本体２の弾性変形により突起２５ａが位置保持用突起５ｂを乗り越えて、開蓋状態の保持状態が解除され、ケース蓋体２はケース本体１のガイドリブ５とケース蓋体２の溝２５によりスライドし、ケース蓋体２の突起２５ａがケース本体１の位置保持用突起５ｃを乗り越えて、ケース蓋体２の開放端縁がケース本体１の基端部６に当接することにより閉蓋状態（図２）となる。この閉蓋状態では、突起２５ａは位置保持用突起５ｃにより開方向へのスライドが阻止され、ケース本体１とケース蓋体２の位置決め保持を行うことができることとなる。
【００２６】
以上、通常使用時の開閉作用について説明したが、図３に示すようにケース本体１とケース蓋体２を分離し、かつ合体させる際における作用について、次に説明する。まず、前述したように、予め所定事項を記入したラベル９をケース蓋体２に挿入した状態で、図３（ａ）に示す状態から、ケース蓋体２の前面２ａにおけるスライド用溝２５の開放端を、ケース本体１のガイドリブ５の端部にあてがう。そして、この状態でスライドすることにより、突起２５ａが突起５ａに衝突することになるが、これを強制的に強い力でスライドすることによって、ケース蓋体２の両側面２２，２３が広がるように弾性変形して乗り越え、図１に示す状態に嵌合することができ、通常使用時のの開閉動作を行うことができる状態となる。一方、この嵌合状態から、ラベル９の書き替え等で、ケース本体１とケース蓋体２とを分離する必要がある場合は、図１の開蓋状態で、強制的に相互分離の方向にスライドさせることにより、突起２５ａの突起５ａによるスライド阻止状態から、ケース蓋体２の弾性変形により乗り越えて分離状態とすることができることとなる。
【００２７】
また、図６に示す断面図において、前述したラベルの挿入時に際し、折り曲げ片部９ｂを若干折り曲げておくことにより、ラベル９の収納完了時に図６（ａ）及び（ｂ）に示すように、折り曲げ線９ｃに添ってほぼ直角状態に折り曲げられて収納されることとなる。この状態において、ケース蓋体２の上面２１と後側面２４は、透明な当該ケース蓋体２を透過してラベル９上の表示面を視認することができる。すなわち、主面９ａに表示記入された情報の他、折り曲げ片部９ｂにインデックス情報を記入しておけば、このカードケースを複数重ねて保管してもその後側面２４より透過して確認でき、必要な半導体メモリカード３を容易に選択することができることとなる。
【００２８】
また、ケース本体１には、保持端部７の位置の裏面にその裏面表面より凹んだ係合部１０を設け、ケース蓋体２をケース本体１に対してスライドさせる際に指を係合させることができるように構成している。すなわち、図７に示すように、片方の手１１で、係合部１０に対応する指１１ａと、他の指１１ｂにより把持して、指１１ａと指１１ｂを反対方向に移動させることにより、ケース蓋体２をケース本体１に対してスライドさせることができる。すなわち、片手でも容易に開閉できることとなる。
【００２９】
次に、以上のように構成された収納ケースの使用形態について、図８に基づいて説明する。（ａ）図において、１２はハンドストラップ等のバンドで、その先端の紐１２ａを貫通孔８に通して保持するようにしたものである。（ｂ）図は、２個所の貫通孔８をシステム手帳１３のバインダ１３ａに通して、当該ケースをシステム手帳１３に保持したものである。なお、（ｂ）図はシステム手帳１３に保持したものであるが、このような目的のバインダを有するシステム手帳タイプの専用の保管ケースを構成しても良い。
【００３０】
【発明の効果】
以上のように本発明によれば、半導体メモリを有し機器との電気的接続を行う端子を一体的に設けた半導体メモリカードを収納可能なケースであって、前記半導体メモリカード収納部を有すると共に側面にガイドを形成したケース本体と、前記ケース本体に形成したガイドに係合されてスライド可能でかつ前記メモリカード収納部を覆うように嵌合されるケース蓋体とを備え、前記ケース本体は、前記ケース蓋体による閉蓋状態で当該ケース蓋体により覆われない基端部と、開蓋状態でも覆われる保持端部を設け、この基端部と保持端部との間に前記半導体メモリカード収納部を配置した構成とし、前記半導体メモリカード収納部は、ケース本体側面方向の一方が開放され、３方に前記保持端部と前記基端部とケース本体側面方向の他方の側縁部とにより形成される側壁を有し、この側壁には当該収納部に収納される半導体メモリカードと密着する突出縁部を形成し、前記ケース蓋体は、少なくとも上面とスライド方向の両側面及び後側面を有して前面を開放した構成とし、前記ケース本体とケース蓋体のガイドを形成したスライド部には、ケース蓋体の開蓋方向のスライドを規制するストッパを構成して、通常使用状態における開蓋状態でケース蓋体の保持を行うと共に、その開蓋状態で半導体メモリカードを前記半導体メモリカード収納部の突出縁部により密着状態で保持するように構成したので、これにより、ケース蓋体をケース本体に対してスライドさせるだけで開閉することができ、閉蓋状態では確実に収納することができると共に、開蓋状態ではケース蓋体の脱落等を気にすることなく、しかも収納部への半導体メモリカードの収納時には開放されているにもかかわらず密着状態で保持し、ケース本体側面方向の一方が開放されているのでその半導体メモリカードの着脱を容易に行うことができ、また、前記ケース本体の基端部を設けているので、当該ケースの保持を容易に行うことができ、携帯や保管及びその収納着脱に便利な半導体メモリカード収納ケースを提供することができるという有利な効果が得られる。
【図面の簡単な説明】
【図１】本発明の第１の実施の形態における半導体メモリカード収納ケースの開蓋状態の斜視図
【図２】同閉蓋状態の斜視図
【図３】（ａ）は同ケース本体とケース蓋体を分離した状態の斜視図
（ｂ）は同ケース蓋体の内側を示す斜視図
【図４】（ａ）（ｂ）（ｃ）は同ケースに使用するラベル及び当該ラベルのケース蓋体への収納過程を示す斜視図
【図５】同開蓋状態の底面図
【図６】（ａ）は同図２のＡ−Ａ断面図
（ｂ）は同図２のＢ−Ｂ断面図
（ｃ）は同図５のＣ−Ｃ断面図
（ｄ）は同（ａ）図における部分拡大図
【図７】同開閉状態を説明するための下方向斜視図
【図８】同当該収納ケースの使用状態説明図
【符号の説明】
１  ケース本体
２  ケース蓋体
３  半導体メモリカード
４  半導体メモリカード収納部
５  ガイドリブ
６  基端部
７  保持端部
８  貫通孔
９  ラベル
２１  上面
２２，２３  側面
２４  後側面
５ａ，２５ａ  ストッパ用突起
【図１】
0003800924.tif 000002
【図２】
0003800924.tif 000003
【図３】
0003800924.tif 000004
【図４】
0003800924.tif 000005
【図５】
0003800924.tif 000006
【図６】
0003800924.tif 000007
【図７】
0003800924.tif 000008
【図８】
0003800924.tif 000009